(57)【要約】      （修正有）【課題】分離可能な中栓体（飲み口具備）と外栓体で栓体を構成し、中栓体の装着忘れが生じることなく、堅固に容器体に装着される携帯用飲料用容器を提供する。【解決手段】容器体１と、容器体の開口部外周の肩段差１２上に外嵌合される肩カバー体２１に、注出流路の開閉を行う蓋体２２をヒンジ２３で連結した外栓体２と、注出流路の出口となる飲み口３３を有し肩カバー体に嵌合装着される中栓体３とを備え、肩カバー体２１への中栓体３の嵌合装着時に肩カバー体の内周面と中栓体の外周面が対面する位置に、撓弾性で係止する係止部（係止溝３７及び係止爪２１５）を設けると共に、中栓体には係止時に肩カバー体の上方適宜箇所に当接載置される鍔部３６を設け、容器体の開口部内周面と中栓体には螺合装着用の螺条１３，３４を設ける。【選択図】図１
0003205966.tif 000002
【実用新案登録請求の範囲】
【請求項１】
上部開口の容器体と、容器体の開口部外周の肩段差上に外嵌合される肩カバー体に、注出流路の開閉を行う蓋体をヒンジ連結した外栓体と、注出流路の出口となる飲み口を形成して肩カバー体の開口内周壁に嵌合装着される中栓体とを備え、前記肩カバー体への中栓体の嵌合装着時に肩カバー体の内周壁面と中栓体の外周面の対面する位置に、撓弾性で係止する係止部を設けると共に、前記の係止時に肩カバー体の上方適宜箇所に当接載置される鍔部を中栓体に設け、容器体の開口部内周面と中栓体に螺合装着用の螺条を設けてなることを特徴とする携帯用飲料容器。
【請求項２】
外栓体におけるヒンジ連結個所と反対側に、蓋体と肩カバー体とのロック機構を設け、前記のヒンジ連結箇所とロック機構形成箇所の範囲を除く肩カバー体の内周壁面に、半径方向に撓弾性が生ずるようにした垂設壁を設けると共に、垂設壁下縁に係止爪を設けて係止部としてなる請求項１記載の携帯用飲料容器。
【請求項３】
垂設壁の上方に、鍔部が当接載置される段差部を設けてなる請求項２記載の携帯用飲料容器。
【考案の詳細な説明】
【技術分野】
【０００１】
本考案は、飲み口を設けた中栓体が外栓体に着脱自在に装着することで洗浄を容易にした栓体を備えた携帯用飲料容器に関するものである。
【背景技術】
【０００２】
携帯用飲料容器の栓体として、飲み口を備え、この前記飲み口の開閉をなす蓋体が設けられているが、特に栓体の洗浄の容易性を高めるために、飲み口を備えた中栓体と、容器体の肩部に装着する肩カバー体に蓋体をヒンジ連結した外栓体で構成し、中栓体を外栓体に着脱自在な構造（嵌合係止構造）が提案されている。
【０００３】
例えば特許文献１（特開２０１５−１３６７５号公報）には、外栓体の肩カバー体（外観カバー）に係合保持方向へ付勢した係合部材を設け、前記係合部材の操作で肩カバー体に嵌合した中栓体の着脱を実現している構造が開示されている。
【０００４】
また特許文献２（特開２０１５−９８３５２号公報）には、中栓体（飲み口）の外側面に一体に形成された係止片を肩カバー体の内側面に設けた係止片を係合させて、容器本体の肩部に肩カバー体を螺合装着する携帯用飲料容器が開示されている。
【先行技術文献】
【特許文献】
【０００５】
【特許文献１】特開２０１５−１３６７５号公報。
【特許文献２】特開２０１５−９８３５２号公報。
【考案の概要】
【考案が解決しようとする課題】
【０００６】
中栓体を外栓体に着脱自在にするために、特許文献１に開示されているような、係合保持をなすために付勢機能を備えた操作部材を組み込むことは、部品数の増大を伴い、その製造が煩瑣となる。更に中栓体を肩カバー体の下方から差し入れて装着し、且つ中栓体を容器体の開口部内周面に螺合装着するもので、外栓体は前記の中栓体との係止構造のみでしか保持されていないので、このため外栓体が外れてしまう不測の事態が生ずる虞もある。
【０００７】
また特許文献２に開示されている中栓体と外栓体の嵌合連結は、中栓体を肩カバー体の下方から差し入れ、部材の撓み弾性で係止し、肩カバー体を容器体開口部外周面に螺合装着するもので、部品数が少ないという利点があるが、外栓体が単独で容器体に装着可能であるので、中栓体を非装着状態（蓋体で蓋をした状態では視認し難い）のまま容器体に装着してしまう虞がある。
【０００８】
そこで本考案は、中栓体と外栓体の係止構造及び容器体への装着方式を適宜特定することで、栓体の容器体への確りとした装着並びに中栓体装着忘れが生じない新規な携帯用飲料容器を提案したものである。
【課題を解決するための手段】
【０００９】
本考案（請求項１）に係る携帯用飲料容器は、上部開口の容器体と、容器体の開口部外周の肩段差上に外嵌合される肩カバー体に、注出流路の開閉を行う蓋体をヒンジ連結した外栓体と、注出流路の出口となる飲み口を形成して肩カバー体の開口内周面に嵌合装着される中栓体とを備え、前記肩カバー体への中栓体の嵌合装着時に肩カバー体の内周面と中栓体の外周面の対面する位置に、撓弾性で係止する係止部を設けると共に、前記の係止時に肩カバー体の上方適宜箇所に当接載置される鍔部を中栓体に設け、容器体の開口部内周面と中栓体に螺合装着用の螺条を設けてなることを特徴とするものである。
【００１０】
而して中栓体を肩カバー体に上方から嵌入すると、互いの係止部の撓弾性係合によって一体化され、当該状態で容器体に中栓体を螺合装着すると、肩カバー体は、鍔部と容器体の肩段差との間で挟圧され、中栓体及び外栓体は容器体に堅固に装着される。また容器体から取り外して洗浄を行うに際には、中栓体を上方に強く引き抜き、撓弾性係止を解除して分離させる。
【考案の効果】
【００１１】
本考案の構成は上記のとおりで、中栓体が外栓体に装着された状態でなければ容器体に装着することができないので中栓体の組み込みを忘れることが無く、且つ栓体全体が堅固に容器体に装着できるものである。
【図面の簡単な説明】
【００１２】
【図１】本考案実施形態の全体斜視図。
【図２】同栓体装着時の断面図で（イ）は一部断面図（ロ）は同拡大図である。
【考案を実施するための形態】
【００１３】
次に本考案の実施形態について説明する。実施形態に示した携帯用飲料容器は、容器体１と外栓体２と中栓体３で構成される。
【００１４】
容器体１は、真空二重容器で、開口部１１の外周が肩段差１２で形成され、開口部１１の内周面には、螺凹条１３と螺凹条１３下方の水封用突部１４を設けてなる。
【００１５】
外栓体２は、肩カバー体２１と蓋体２２からなり、肩カバー体２１と蓋体２２は、ヒンジ部２３で蓋体２２が煽り回動自在に連結すると共に、ヒンジ部２３には、蓋体２２が開放方向に付勢するように適宜な付勢部材を付設してなる。
【００１６】
また肩カバー体２１と蓋体２２におけるヒンジ部２３と反対側に、肩カバー体２１と蓋体２２とのロック機構２４，２５を設ける。このロック機構は周知の構造で、肩カバー体２１側のロック機構２４は揺動構造の付勢押しボタンで、蓋体２２側のロック機構２５は、押しボタンに係止される係止鉤で構成されている。
【００１７】
特に本考案の肩カバー体２１は、容器体１の開口部１１の上縁を跨ぐ外周壁面２１１及び内周壁面２１２を備え、内周壁面２１２の下縁を内方に突出させて棚状の段差部２１３を形成し、更にヒンジ部２３とロック機構２４の部分を除く範囲で、前記段差部２１３の内縁から半径方向に撓弾性が生ずるようにした垂設壁２１４を設けると共に、垂設壁２１４の下縁に係止爪２１５を設けたものである。また蓋体２２は、閉塞時に下記の中栓体３の流出口３２を塞ぐ押圧栓２２１を設けてなる。
【００１８】
中栓体３は、全体が筒状で注出流路が構成され、中仕切り面３１を以て内方を上下分割し、中仕切り面３１に流出口３２を形成し、上方部分を飲み口３３としたもので、飲み口３３の上縁はロック機構２４側が高くなるように形成してなる。
【００１９】
この中栓体３を容器体１に水封装着するために、下方外周に容器体１の螺凹条１３に対応する螺条３４を設け、下端に水封用突部１４に密着するパッキン３５を設けてなり、外栓体２との一体化のために、飲み口３３の中間位置外周に段差部２１３上に当接載置される鍔部３６を突設し、係止爪２１５と対応する位置に係止溝３７が形成される突条部３８を設けたものである。
【００２０】
前記の実施形態に示した携帯用飲料容器は、栓体（外栓体２及び中栓体３）を容器体１に装着するには、分離状態の外栓体２と中栓体３を一体にして中栓体３の螺条３４を容器体１の螺凹条１３に螺合するものである。
【００２１】
外栓体２と中栓体３の一体手段は、蓋体２２を開披した肩カバー体２１の開口個所に上方から中栓体３を嵌入するもので、垂設壁２１４が後退（外周方向移動）して係止爪２１５が突条部３８を越えて係止溝３７に入り込むことで、両者が係止状態となるものである。
【００２２】
外栓体２と中栓体３が一体となった状態で、中栓体３を容器体１に螺合装着すると、肩カバー体２１は、段差部２１３に当接した鍔部３６と容器体１の肩段差１２との間で挟圧され、外栓体２及び中栓体３は容器体１に堅固に装着されることになる。
【００２３】
また容器体１から栓体（外栓体２及び中栓体３）を取り外して洗浄を行うに際には、中栓体３を上方へ強く引き抜き、係止爪２１５を係止溝３７から離脱させることで、外栓体２と中栓体３が分離される。
【符号の説明】
【００２４】
１      容器体
１１    開口部
１２    肩段差
１３    螺凹条
１４    水封用突部
２      外栓体
２１    肩カバー体
２１１    外周壁面
２１２    内周壁面
２１３    段差部
２１４    垂設壁
２１５    係止爪
２２    蓋体
２２１    押圧栓
２３    ヒンジ部
２４，２５    ロック機構
３      中栓体
３１    中仕切り面
３２    流出口
３３    飲み口
３４    螺条
３５    パッキン
３６    鍔部
３７    係止溝
３８    突条部
【図１】
0003205966.tif 000003
【図２】
0003205966.tif 000004